(57)【特許請求の範囲】
【請求項１】
携帯端末に着脱自在であって装着により前記携帯端末の音声信号が入力される接続部と、この接続部を介し、前記音声信号に応じて振動する骨伝導装置とを備え、前記接続部は前記携帯端末（６）に設けられたジャック（７）に対し着脱自在なプラグ（５）からなり、前記骨伝導装置は、前記プラグ（５）を介し音声信号が流れるコイル（１０）と、このコイル（１０）の軸方向に対向配置されたマグネット（１１）からなる振動子を振動可能に保持するダンパー（１２）からなることを特徴とする骨伝導アダプター。
【請求項２】
請求項１記載の骨伝導アダプターにおいて、前記ダンパー（１２）は前記振動子の両側面および上面を包み込み、かつ上面部分はケース（２）に形成した開口部（２ｃ）から外部に露出し振動伝達部分への当接部（１２ａ）をなすことを特徴とする骨伝導アダプター。
【請求項３】
請求項１記載の骨伝導アダプターにおいて、ダンパー（１２ｃ）はリング状をなし、少なくとも一以上のダンパー（１２ｃ）を前記振動子の外周に巻き付けて保持し、かつ振動子が配置されるケース部分を振動伝達部分への当接部（１２ａ’）としたことを特徴とする骨伝導アダプター。
【請求項４】
請求項２または３記載の骨伝導アダプターにおいて、前記ケース（２）は第１のケース半体（２ａ）と第２のケース半体（２ｂ）とからなり、前記第１のケース半体（２ａ）に前記コイル（１０）および前記プラグ（５）が設けられ、前記第２のケース半体（２ｂ）に前記ダンパー（１２）で保持された振動子が設けられ、前記第１、第２のケース半体（２ａ）、（２ｂ）の各内側を互いに向い合わせ、一体化してなることを特徴とする骨伝導アダプター。
【発明の詳細な説明】
【技術分野】
【０００１】
この発明は、携帯電話のような携帯端末を難聴者であっても健常者と同様に通話できるようにした携帯端末用骨伝導アダプターに関する。
【背景技術】
【０００２】
現在、スマートフォンのような携帯端末は全世界的に普及し、老若男女を問わず誰でも持ち歩いている。
【先行技術文献】
【特許文献】
【０００３】
【特許文献１】実公平４−０１６５２２号公報
【発明の概要】
【発明が解決しようとする課題】
【０００４】
図９は従来の携帯電話の概略斜視図で、正面上部の適位置にスピーカ８が、下方にマイクロホン８’がそれぞれ内蔵され、通話ができるように構成されている。また、液晶画面Ａや相手の電話番号を入力したり、メールをするための各種キーＢも設けられている。
【０００５】
使用にあたっては、通常、図１０に示すように、スピーカ８の部分を耳に当て相手方と会話を行う。スマートフォンも同様にして使用される。
【０００６】
しかしながら、難聴者は耳が聞こえないため、メール機能は使えるが、通常の電話としての会話はできない。また、日本は今後、益々高齢化が進み、高齢になると耳が遠くなるため、何らかの対策を講じておくことが好ましい。
【０００７】
この発明は上記のことに鑑み提案されたもので、その目的とするところは、難聴者であっても健常者と同様に通話を可能とし、かつ組立ても容易で安価な携帯端末用骨伝導アダプターを提供することにある。
【課題を解決するための手段】
【０００８】
上記課題を解決するために、請求項１に係る発明は、携帯端末に着脱自在であって装着により前記携帯端末の音声信号が入力される接続部と、この接続部を介し、前記音声信号に応じて振動する骨伝導装置とを備えたことを特徴とする。
請求項２に係る発明は、請求項１記載の骨伝導アダプターにおいて、前記接続部は前記携帯端末６に設けられたジャック７に対し着脱自在なプラグ５からなり、前記骨伝導装置は、前記プラグ５を介し音声信号が流れるコイル１０と、このコイル１０の軸方向に対向配置されたマグネット１１からなる振動子を振動可能に保持するダンパー１２からなることを特徴とする。
請求項３に係る発明は、請求項２記載の骨伝導アダプターにおいて、前記ダンパー１２は前記振動子の両側面および上面を包み込み、かつ上面部分はケース２に形成した開口部２ｃから外部に露出し振動伝達部分への当接部１２ａをなすことを特徴とする。
請求項４に係る発明は、請求項２記載の骨伝導アダプターにおいて、ダンパー１２ｃはリング状をなし、少なくとも一以上のダンパー１２ｃを前記振動子の外周に巻き付けて保持し、かつ振動子が配置されるケース部分を振動伝達部分への当接部１２ａ’としたことを特徴とする。
請求項５に係る発明は、請求項３または４記載の骨伝導アダプターにおいて、前記ケース２は第１のケース半体２ａと第２のケース半体２ｂとからなり、前記第１のケース半体２ａに前記コイル１０および前記プラグ５が設けられ、前記第２のケース半体２ｂに前記ダンパー１２で保持された振動子が設けられ、前記第１、第２のケース半体２ａ、２ｂの各内側を互いに向い合わせ、一体化してなることを特徴とする。
【発明の効果】
【０００９】
請求項１〜３記載の発明によれば、スマートフォンのような携帯端末に小型であって携帯用の骨伝導タイプのアダプターをワンタッチで一体的に装着でき、外耳道付近の耳珠に接触させれば、難聴者であっても容易に相手の音声を認識することができ、通話をすることができる。また、プラグとジャックが適合すれば、いかなる携帯端末にも適用でき、骨伝導装置の主要構成部分は、コイル１０、マグネット１１、ダンパー１２、１２ｃと部品点数が少なく、コスト安を実現できる。
請求項４記載の発明によれば、一方の第１のケース半体２ａにプラグ５、コイル１０を配置し、他方の第２のケース半体２ｂの所定位置にダンパー１２、１２ｃに保持された振動子を配置し、両第１、第２のケース半体２ａ、２ｂを向い合わせて結合するだけで容易に組み立てることができ、生産性が良好である。
【図面の簡単な説明】
【００１０】
【図１】本発明に係る骨伝導アダプターと携帯端末の分視図を示す。
【図２】本発明に係る骨伝導アダプターを携帯端末に装着した状態を示す斜視図。
【図３】（ａ）骨伝導アダプターの平面図、（ｂ）同骨伝導アダプターの側面図、（ｃ）底面図である。
【図４】図３（ｃ）中Ａ−Ａ線断面図。
【図５】図３（ｂ）中Ｂ−Ｂ線断面図。
【図６】（ａ）は図３（ｃ）中Ｃ−Ｃ線断面図、（ｂ）は（ａ）図中Ａ部分の拡大図を示す。
【図７】耳の一般的形状の概略図を示す。
【図８】使用状態を示す斜視図である。
【図９】従来の携帯電話の斜視図。
【図１０】同上の使用状態説明図である。
【図１１】本発明の第２実施例の断面図を示す。
【実施例１】
【００１１】
図１において、１は本発明に係る骨伝導アダプターで、例えばＡＢＳ樹脂からなるケース２の頭部３には音声信号を機械運動に変換する骨伝導装置が内蔵されている。また、図示の状態において、上方部分に位置する頭部３の下方に一体形成された首部４の底面からプラグ５が突設されている。このプラグ５は、いわゆる携帯電話やスマートフォンのような携帯端末６に設けられたジャック７に対し着脱自在となっている。
【００１２】
携帯端末６の内部構造は公知であるので、説明は省略する。また、プラグ５とジャック７の構造も公知であり、プラグ５をジャック７に差し込めば電気的、かつ機械的に接続されることも公知である。
【００１３】
図２は骨伝導アダプター１を携帯端末６に装着し、一体化した状態を示す。これにより携帯端末６に内蔵されたスピーカ８への音声信号が骨伝導アダプター１へ切替えられるようになっており、この種の切替え構造も公知である。
【００１４】
図３（ａ）〜（ｂ）は骨伝導アダプター１の好ましい形状例を示す。骨伝導アダプター１のケース２は平面から見ると円形をなす頭部３と、この頭部３の一端側に一体形成されたほぼ矩形状の首部４からなっている。また、ケース２は第１、第２のケース本体２ａ、２ｂの２分割構造をなす。なお、ケース２の形状は必ずしもこの形状に限定されるものでなく、首部４は例えば有底円筒状に形成しても良い。また、頭部３の形状も適宜設計変更しても良い。
【００１５】
図４は、図３中Ａ−Ａ線断面図であって骨伝導アダプター１の内部構造を示す。第１のケース半体２ａの頭部３内の中空部には、円筒状の胴部９ａと、胴部９ａの各端部にそれぞれ一体形成された円板状のフランジ９ｂ、９ｃとからなるコイルボビン９が配置されている。コイルボビン９の胴部９ａの外周にはコイル１０が巻き回され、コイル１０の巻き始め、巻き終わりの引出線（図４では図示せず）はプラグ５に接続されている。
【００１６】
内側に位置するフランジ９ｂ側であって第２のケース半体２ｂ側には振動子であるマグネット１１がコイル１０の軸方向と対向するように配置されている。マグネット１１の周囲は、図示の状態において、底部を除き、例えばゴム材のような弾性部材からなるダンパー１２で囲まれている。そしてこのマグネット１１の底面がコイル１０のフランジ９ｂ上に対向配置され、ハウリングは起こらない構造になっている。
【００１７】
図示の状態において、このダンパー１２の外面は耳部分への当接部１２ａとなり、第２のケース半体２ｂの開口部２ｃから外部に露出している。当接部１２ａは好ましくはやや肉厚とすればクッション性が生じ、当接させた場合、感触が良好となる。なお、ダンパー１２の外周部にはフランジ状の突部１２ｂが形成され、この突部１２ｂは第２のケース半体２ｂの内側に形成された凹部２ｄと係合し、内部にマグネット１１を有するダンパー１２が第２のケース半体２ｂの開口部２ｃから外に抜け出ないように構成されている。
【００１８】
組立てにあたっては、コイル１０の引出線ａ、ｂをプラグ５に接続し、一方の第１のケース半体２ａの所定の位置に収納する。図５はその状態を示す。
【００１９】
また、他方の第２のケース半体２ｂには、マグネット１１が内蔵されたダンパー１２を配置し、第１、第２のケース半体２ａ、２ｂの内側を互いに向い合わせる。
【００２０】
図６（ａ）に示すように、第２のケース半体２ｂの内面の適宜の箇所には凸部ｃが形成され、第１のケース半体２ａにはそれを収納する凹部ｄが形成され、凸部ｃと凹部ｄを嵌め合わせる。図６（ｂ）はその拡大図を示す。なお、第１のケース半体２ａに凸部ｃを、第２のケース半体２ｂに凹部ｄを形成しても良いことは勿論である。
【００２１】
そして、超音波溶着により第１、第２のケース半体２ａ、２ｂを一体化すれば骨伝導アダプター１が完成する。
【００２２】
図７は一般的な耳の形状を示す。本発明者は耳の周辺の何箇所かに骨伝導アダプター１の当接部１２ａを当接させ、どこの部位が一番好適かについて確認したところ、耳珠に当てると好ましいことを見い出した。
【００２３】
図８はその使用状態を示す。
【００２４】
使用に際しては、プラグ５をジャック７に差し込むと携帯端末６と一体化させることができる。手で携帯端末６をもち、骨伝導アダプター１の当接部１２ａを耳珠に押圧させる。この場合、当接部１２ａは弾性部材からなるため、感触が良い。その状態において、いま、携帯端末６からの交流の音声電流がプラグ５を介しコイル１０に流れると、アンペアの右ネジの法則により、その電流の向きにしたがって、磁束が交互に変化する。アンペアの右ネジの法則とは、電流とその周りにできる磁場との関係を表す法則で、電流を流すと、電流の方向を右ネジの進む方向として、右ネジの回る向きに磁場が生じることである。
【００２５】
また、フレミングの左手の法則により発生した力Ｆがダンパー１２内のマグネット１１に作用する。この場合、ダンパー１２の底部は開口し、マグネット１１はコイル１０と直接対向配置させているため、コイル１０の磁束はマグネット１１に速やかに作用する。ダンパー１２は弾性材からなるため、マグネット１１は振動可能で、マグネット１１が振動する。
【００２６】
当接部１２ａを振動伝達部分である耳珠に押し当てればその振動が外耳道の奥にある耳小骨から蝸牛以降の聴覚神経に速やかに伝達され脳に音として認識される。これによって相手の声を聴くことができ、会話を行うことができる。この際、外部に音漏れがすることはない。なお、当接部１２ａを肉厚にしておけば、皮膚への感触は良好であり、特別に他の別部材のパッドを設ける必要はなく、経済的である。勿論、別途、パッドを設けても良いことは勿論である。
【００２７】
携帯端末から骨伝導アダプター１を抜けば携帯端末に内蔵されたスピーカ８から音声を聞くことができ、通常の携帯端末として使用できる。なお、本発明の骨伝導アダプター１は難聴者のみならず健常者でも使用でき、周りに人がいても、音漏れがないため、迷惑をかけることはない。
【実施例２】
【００２８】
図１１は本発明の第２実施例を示す。この実施例では、リング状の少なくとも一以上のダンパー１２ｃで振動子であるマグネット１１を保持するようにしている。
【００２９】
すなわち、この例では、振動子の外周に、２つのダンパー１２ｃを離間して巻き付け、その振動体をコイル１０上に配置している。
【００３０】
また、振動体が配設される第２のケース半体２ｂ’の部分を、図示の状態において、上方に突出させ、その部分を当接部１２ａ’とし、振動子の振動をダンパー１２ｃを介し当接部１２ａ’に伝達するようにしている。この当接部１２ａ’はクッション性をもたせるために肉厚にすると好ましい。逆に肉薄にし、振動を伝達し易くしても良い。
【００３１】
この場合、第２のケース半体２ｂ’を可とう性のある材質で形成すれば当接部１２ａ’を速やかに振動させることができる。
【００３２】
他の構成、作用、組立て方法、使い方等は前述の実施例と基本的には同様であるため省略する。
【００３３】
なお、骨伝導装置は必ずしも上記各実施例に限定されるものでなく、本発明の精神を逸脱しない範囲で種々の設計変更が可能である。
【符号の説明】
【００３４】
１      骨伝導アダプター
２      ケース
２ａ    第１のケース半体
２ｂ    第２のケース半体
３      頭部
４      首部
５      プラグ
６      携帯端末
７      ジャック
８      スピーカ
９      コイルボビン
９ａ    胴部
９ｂ、９ｃ    フランジ
１０    コイル
１１    マグネット
１２    ダンパー
１２ａ、１２ａ’  当接部
１２ｂ  突部
１２ｃ  ダンパー
ａ、ｂ  コイル引出線
【図１】
0006296999.tif 000002
【図２】
0006296999.tif 000003
【図３】
0006296999.tif 000004
【図４】
0006296999.tif 000005
【図５】
0006296999.tif 000006
【図６】
0006296999.tif 000007
【図７】
0006296999.tif 000008
【図８】
0006296999.tif 000009
【図９】
0006296999.tif 000010
【図１０】
0006296999.tif 000011
【図１１】
0006296999.tif 000012